(57)【要約】【課題】フロアークライミング工法を採用する場合に、構築する建物が鉄筋コンクリート（ＲＣ）造であっても最上階の躯体コンクリートの打設後間もなく旋回体のクライミングを実施でき、鉄筋コンクリート（ＲＣ）造の建物構築においてフロアークライミング工法を採用しても施工性が低下することがない。【解決手段】構築しようとする建物の躯体１の所定階に旋回体受け架台９を盛り替え可能に固定し、クライミング時にクライミングタワークレーンの旋回体３を前記旋回体受け架台９にあずけ、この状態でマスト５をクライミングし、その後、マスト５にそって旋回体３をクライミングする。【選択図】　　　　図１
2004099195.tif 000002
【特許請求の範囲】
【請求項１】
構築しようとする建物の躯体の所定階に旋回体受け架台を盛り替え可能に固定し、クライミング時にクライミングタワークレーンの旋回体を前記旋回体受け架台にあずけ、この状態でマストをクライミングし、その後、マストにそって旋回体をクライミングすることを特徴とするクライミングタワークレーンの支持方法。
【請求項２】
マストと、該マストにそって昇降するクレーン本体である旋回体とで構成するクライミングタワークレーンにおいて、建物の躯体に盛り替え可能に固定され、旋回体があずけられる旋回体受け架台を設けたことを特徴するクライミングタワークレーンの支持装置。
【請求項３】
旋回体受け架台は建物の躯体に固定される脚部を折り畳み自在に形成した請求項２記載のクライミングタワークレーンの支持装置。
【発明の詳細な説明】
【０００１】
【発明の属する技術分野】
本発明は、例えば超高層ビルなどの建物の構築に使用するクライミングタワークレーンの支持方法およびその装置に関するものである。
【０００２】
【従来の技術】
超高層建物や高層建物などの建設工事においては、クライミングタワークレーンを使用して、該クレーンにより建築資材を揚重し、クレーンを上昇させて建物の複数のフロアを順次上方に構築する。
【０００３】
このタワークレーンをクライミングさせる方法には、従来周知のフロアークライミング工法がある。（例えば、特許文献１参照。）これは、図１３に示すように、構築中の建物の躯体１の、工事が完了した最上階２に、クライミングタワークレーンの本体である旋回体３の旋回体受け梁４を仮設し、この旋回体受け梁４に旋回体３をあずけ、該旋回体３に取り付けてある上部昇降フレームを旋回体受け梁４に固定する（図１３（ａ）の状態）。
【０００４】
この状態では、マスト５の下部に取り付けてあるベース架台６はアンカーボルトで下層階の架台受け梁７に固定されている。
【０００５】
次に、図１３（ｂ）に示すようにマスト５およびベース架台６をクライミングする。この工程は、ベース架台６を固定していたアンカーボルトを外し、昇降装置でマスト５をつかみ、油圧シリンダにより尺とり虫方式でマスト５およびベース架台６を引き上げる。このとき、ベース架台６の脚部は折り畳んで、躯体１に形成したマスト引き上げ用の開口８内を上昇できるようにする。
【０００６】
所定階までマスト５およびベース架台６を引き上げたならば、この階に架台受け梁７を設置する（図１３（ｃ）の状態）。これにより、マスト５と旋回体３で構成されるクライミングタワークレーンのうちの、マスト５の部分のクライミングが終了し、次に旋回体３の部分のクライミングを行う。
【０００７】
旋回体３の部分のクライミングは、図１３（ｄ）に示すように、所定の上層階まで引き上げたベース架台６を架台受け梁７に設置し、上層階に盛り替えてボルトで固定した後、旋回体受け梁４への旋回体３の固定を解除し、昇降装置によってマスト５にそって旋回体３を引き上げる。この旋回体３の引き上げも、マスト５の場合と同様に油圧シリンダにより尺とり虫方式で行う。
【０００８】
このようにしてマスト５と旋回体３を上昇させたならば、さらにその上層階を構築し、躯体の構築進行に合わせてクライミングタワークレーンを引き上げていく。
【０００９】
【特許文献１】
特開２００１−１０７８０号工法（第１〜２頁、図１１）
【００１０】
【発明が解決しようとする課題】
フロアークライミング工法では前記のように最上階２の躯体１に旋回体３をあずけてマスト５を引き上げる方式であるため、構築する建物が鉄骨鉄筋コンクリート（ＳＲＣ）造の場合は旋回体３を支持するだけの強度を構築完了直後の最上階２でも得られるが、構築する建物が鉄筋コンクリート（ＲＣ）の場合は、最上階２の打設コンクリートの強度が発現するまでに約１カ月程度の期間を要するため、その間、クライミングタワークレーンの引き上げが行えなくなり、施工に支障をきたす。
【００１１】
かかる不都合を解消するには、クライミングタワークレーンを引き上げる方式として、マストクライミング工法を採用することも考えられるが、高層建物の構築において、内部設置式のマストクライミング工法では、仮設開口の長期化による工程への影響が大き過ぎ、また、建物外部に設置する方式ではクレーン効率がよくない。
【００１２】
本発明の目的は前記従来例の不都合を解消し、フロアークライミング工法を採用する場合に、構築する建物が鉄筋コンクリート（ＲＣ）造であっても最上階の躯体コンクリートの打設後間もなく旋回体のクライミングを実施でき、鉄筋コンクリート（ＲＣ）造の建物構築においてフロアークライミング工法を採用しても施工性が低下することのないクライミングタワークレーンの支持方法および装置を提供することにある。
【００１３】
【課題を解決するための手段】
本発明は前記目的を達成するため、方法として、第１に、構築しようとする建物の躯体の所定階に旋回体受け架台を盛り替え可能に固定し、クライミング時にクライミングタワークレーンの旋回体を前記旋回体受け架台にあずけ、この状態でマストをクライミングし、その後、マストにそって旋回体をクライミングすることを要旨とするものである。
【００１４】
装置として、第２に、マストと、該マストにそって昇降するクレーン本体である旋回体とで構成するクライミングタワークレーンにおいて、建物の躯体に盛り替え可能に固定され、旋回体があずけられる旋回体受け架台を設けたこと、第３に、旋回体受け架台は建物躯体に固定される脚部を折り畳み自在に形成したことを要旨とするものである。
【００１５】
請求項１、請求項２記載の本発明によれば、建物躯体を鉄筋コンクリート（ＲＣ）造とする場合には、最上階でなくても打設コンクリートの強度が発現した階に旋回体受け架台を盛り替えることで、最上階の打設コンクリートの強度発現をまたずにクライミングタワークレーンのクライミングが可能となる。これにより、既製のクライミングタワークレーンを使用して鉄筋コンクリート（ＲＣ）造でのフロアークライミングが実施でき、施工性が向上する。
【００１６】
請求項３記載の本発明によれば、旋回体受け架台は建物躯体に固定される脚部を折り畳み自在に形成したことにより、脚部を折り畳むことで躯体に形成したクライミング用の開口内をそのままスムーズに引き上げることができ、盛り替えを容易に行える。
【００１７】
【発明の実施の形態】
以下、図面について本発明の実施の形態を詳細に説明する。図１〜図６は本発明のクライミングタワークレーンの支持方法のクライミングの工程を示す正面図で、本発明はフロアークライミング工法において実施されるものであり、図１３に示した従来例と同一の構成要素には同一の参照符号を付してある。図９、図１０について本発明の支持装置から説明すると、図中９はクライミングタワークレーンの本体である旋回体３を支持し、打設コンクリートの強度が発現した所定階に盛り替え可能な旋回体受け架台を示す。
【００１８】
該旋回体受け架台９は、下部の四隅に脚部９ａを突設したもので、該脚部９ａはヒンジ９ｂにより架台本体に対して内側の水平方向に回動自在に軸着され、折り畳み可能に取り付けられている。
【００１９】
図中１０は旋回体３やマスト５を引き上げるための昇降装置を示し、図７、図８にも示すように上部昇降フレーム１０ａを旋回体３に固定し、下部昇降フレーム１０ｂをカンヌキなどを利用する着脱装置を介してマスト５に着脱自在に係止し、上部昇降フレーム１０ａと下部昇降フレーム１０ｂとを油圧ジャッキ１０ｃで連結した。
【００２０】
図１１、図１２は、マスト５の下部のベースが支持されるベース受け桁１１を示し、このベース受け桁１１も脚部１１ａがヒンジ１１ｂによりベース受け桁１１の本体に対して内側の水平方向に回動自在に軸着されている。
【００２１】
次に、かかる旋回体受け架台９を使用してクライミングタワークレーンをフロアークライミングする方法を図１〜図６に基づいて説明する。図１において、建物の躯体１の最上階Ｎと、その下の階Ｎ−１は打設コンクリートの強度が発現していない階である。本発明は、打設コンクリートの強度が発現した階Ｎ−２に旋回体受け架台９を吊り上げ盛り替える。このとき、旋回体受け架台９の脚部９ａをヒンジ９ｂを介して内側に折り畳むことで、旋回体受け架台９が開口８内をスムーズに通過できる。
【００２２】
次いで、図２に示すように旋回体受け架台９をこの打設コンクリートの強度が発現した階Ｎ−２に固定し、図３に示すように旋回体３を下降させてこの旋回体受け架台９に旋回体３をあずける。この状態では図７にも示すようにマスト５の下部のクレーンベース１２は、下層階Ｎ−７に設置したベース受け桁１１で支持され、ベース受け桁１１は躯体にアンカーボルトで固定されている。
【００２３】
旋回体３を旋回体受け架台９にあずけたこの状態で、ベース受け桁１１を躯体１の下層階Ｎ−７に固定しているアンカーボルトを外し、図８にも示すように昇降装置１０を作動してマスト５を所定階Ｎ−３まで引き上げる（図４参照）。このとき、ベース受け桁１１の脚部１１ａはヒンジ１１ｂを介して内側に折り畳み、ベース受け桁１１が躯体１の内部に形成した開口８を通過できるようにする。
【００２４】
マスト５の引き上げは、上部昇降フレーム１０ａと下部昇降フレーム１０ｂとでマスト５を交互につかむとともに、油圧ジャッキ１０ｃを伸縮して尺とり虫式に行い、旋回体３は旋回体受け架台９に固定したままの状態で、マスト５のみを引き上げる。これにより、マスト５およびクレーンベース１２がクライミングする。
【００２５】
このようにしてマスト５およびクレーンベース１２のクライミングが完了したならば、次に図５に示すように、所定階Ｎ−３に盛り替えてアンカーボルトで固定したベース受け桁１１にクレーンベース１２を固定した状態で、旋回体３を旋回体受け架台９から切り離し、昇降装置１０によって旋回体３のみを引き上げる。旋回体３の引き上げもマスト５の引き上げと同様にして、上部昇降フレーム１０ａと下部昇降フレーム１０ｂとでマスト５を交互につかむとともに、油圧ジャッキ１０ｃを伸縮して尺とり虫式に行う。
【００２６】
旋回体３のクライミング完了後、図６に示すようにそれまでの最上階Ｎよりもさらに上の階の躯体施工を行う。上層階の躯体施工が完了すれば、図１の状態に戻り、打設コンクリートの強度の発現した階に旋回体受け架台９を再度吊り上げ、これを繰り返して施工する。
【００２７】
【発明の効果】
以上述べたように本発明のクライミングタワークレーンの支持方法および装置は、フロアークライミング工法を採用する場合に、構築する建物が鉄筋コンクリート（ＲＣ）造で、最上階の躯体コンクリートの打設後、該打設コンクリートの強度が発現しないうちでも、打設コンクリートの強度が発現した階に旋回体をあずけられるから、旋回体のクライミングを実施でき、鉄筋コンクリート（ＲＣ）造の建物構築においてフロアークライミング工法を採用しても施工性が低下することのないものである。また、既製のクライミングタワークレーンをそのまま使用できる。
【図面の簡単な説明】
【図１】本発明のクライミングタワークレーンの支持方法の実施形態を示すクライミングの第１工程の正面図である。
【図２】本発明のクライミングタワークレーンの支持方法の実施形態を示すクライミングの第２工程の正面図である。
【図３】本発明のクライミングタワークレーンの支持方法の実施形態を示すクライミングの第３工程の正面図である。
【図４】本発明のクライミングタワークレーンの支持方法の実施形態を示すクライミングの第４工程の正面図である。
【図５】本発明のクライミングタワークレーンの支持方法の実施形態を示すクライミングの第５工程の正面図である。
【図６】本発明のクライミングタワークレーンの支持方法の実施形態を示すクライミングの第６工程の正面図である。
【図７】本発明のクライミングタワークレーンの支持方法の実施形態を示すクライミングの第３工程の説明図である。
【図８】本発明のクライミングタワークレーンの支持方法の実施形態を示すクライミングの第４工程の説明図である。
【図９】本発明のクライミングタワークレーンの支持装置の要部である旋回体受け架台の正面図である。
【図１０】本発明のクライミングタワークレーンの支持装置の要部である旋回体受け架台の平面図である。
【図１１】本発明のクライミングタワークレーンの支持装置の要部であるベース受け桁の正面図である。
【図１２】本発明のクライミングタワークレーンの支持装置の要部であるベース受け桁の平面図である。
【図１３】フロアークライミング工法の工程を示す説明図である。
【符号の説明】
１…躯体　　　　　　　　　　　　２…最上階
３…旋回体　　　　　　　　　　　４…旋回体受け梁
５…マスト　　　　　　　　　　　６…ベース架台
７…架台受け梁　　　　　　　　　８…開口
９…旋回体受け架台　　　　　　　９ａ…脚部
９ｂ…ヒンジ　　　　　　　　　　１０…昇降装置
１０ａ…上部昇降フレーム　　　　１０ｂ…下部昇降フレーム
１０ｃ…油圧ジャッキ　　　　　　１１…ベース受け桁
１１ａ…脚部　　　　　　　　　　１１ｂ…ヒンジ
１２…クレーンベース
【図１】
2004099195.tif 000003
【図２】
2004099195.tif 000004
【図３】
2004099195.tif 000005
【図４】
2004099195.tif 000006
【図５】
2004099195.tif 000007
【図６】
2004099195.tif 000008
【図７】
2004099195.tif 000009
【図８】
2004099195.tif 000010
【図９】
2004099195.tif 000011
【図１０】
2004099195.tif 000012
【図１１】
2004099195.tif 000013
【図１２】
2004099195.tif 000014
【図１３】
2004099195.tif 000015